(57)【要約】【課題】無線移動通信システムにおいて、多種多様の試験条件で音声導通試験を行ったことにより録音される試験音声のデータ量が膨大になったときでも、各試験音声が如何なる試験条件で行われたかを容易に把握できるようにすることを目的とする。【解決手段】司令センタ側パソコンに録音される試験音声のファイル名を試験条件（試験種別、試験日時、発信装置、着信装置）に基づいて命名することにより、ファイル名から音声導通試験の試験条件を把握できるようにする。【選択図】図１
2004282247.tif 000002
【特許請求の範囲】
【請求項１】
制御局と、該制御局に接続される１以上の基地局と、前記基地局の通信エリア内に配置される複数の半固定端末と、該半固定端末を制御する第１の制御手段と、試験条件を設定すると共に第１の制御手段を遠隔制御する第２の制御手段とを含む無線移動通信システムの試験音声録音方法において、
音声導通試験で第１の制御手段が着信装置になったとき、前記半固定端末が受信した音声を第１の制御手段は第２の制御手段に伝送し、前記音声を第２の制御手段は前記試験条件に基づいたファイル名で録音するようにしたことを特徴とする試験音声録音方法。
【請求項２】
請求項１記載の試験音声録音方法において、
前記制御局と第２の制御手段とを接続し、音声導通試験で第２の制御手段が着信装置になったとき、前記制御局が受信した音声を第２の制御手段に伝送し、前記音声を第２の制御手段は前記試験条件に基づいたファイル名で録音するようにしたことを特徴とする試験音声録音方法。
【請求項３】
請求項１または請求項２記載の試験音声録音方法において、
前記試験条件は試験種別、試験日時、発信装置、着信装置を含み、前記試験種別、前記試験日時、前記発信装置、前記着信装置に基づいたファイル名で録音するようにしたことを特徴とする試験音声録音方法。
【発明の詳細な説明】
【０００１】
【発明の属する技術分野】
本発明は、移動端末局を含む無線移動通信システムの音声導通試験に係り、更に詳しくは、音声導通試験で録音する音声のファイル名に関するものである。
【０００２】
【従来の技術】
近年、携帯電話やＰＨＳ（Ｐｅｒｓｏｎａｌ  Ｈａｎｄｙ  ｐｈｏｎｅ  Ｓｙｓｔｅｍ）などに代表されるように、無線移動通信システムが急速な勢いで発展を続けている。実用化されている無線移動通信システムは、無線通信回線の制御を行う制御局と、この制御局の制御のもとに端末局（移動端末局又は固定端末局）間の無線通信の中継とサービスエリアの維持を行う１つあるいは複数の基地局と、この基地局を介して無線通信を行う複数の端末局とから構成されていることが知られている。
【０００３】
このような無線移動通信システムでは、端末局（以下、発呼局と称する。）が他の端末局（以下、被呼局と称する。）と無線通信を行う場合、発呼局は基地局が無線通信可能範囲を維持するサービスエリア内において、基地局を介し、制御局により制御される無線通信回線（通信チャネル）を使用して無線通信を行っている。
【０００４】
無線移動通信システムとは、言うまでも無く公共の電波を利用するものであり、公衆用、業務用を問わず、システムを提供する側としては、電波の管理及び監視を厳しく行う必要がある。
【０００５】
一般的に、無線移動通信システムのサービスにおいては、公衆用であれば通話トラヒックの少ない時間帯、また業務用であれば、例えば夜間や休日など業務時間以外の時間帯に、電波を発信する基地局や端末局の動作確認など、いわゆる保守・点検をする必要がある。
【０００６】
以下、業務用無線移動通信システムにおける保守・点検の様子について図２より説明する。図２は、業務用無線移動通信システムの構成を示す図である。
【０００７】
図２において、２１０、２１１、２１２は移動端末局（以下、移動端末局を移動端末と称する）、２１３Ａ、２１４Ａは半固定端末局（以下、半固定端末局を半固定端末と称する）である。図中、移動端末２１０、移動端末２１１、移動端末２１２は、既に日中の通常運用（業務）を終了しており、司令センタ２５０（司令センタ２５０については後述する。）に集結している状態を示している。
【０００８】
２１３Ｂ、２１４Ｂは半固定側パソコンであり、それぞれ半固定端末２１３Ａ、半固定端末２１４Ａに接続される。そして２１３、２１４は半固定側試験装置である。半固定側試験装置２１３、半固定側試験装置２１４は業務時間以外の時間で音声導通試験を行うときのみ、例えば営業所に設置されることで固定局として動作する。
【０００９】
２２０、２２１、２２２は業務用無線移動通信システムの基地局である。一般的に基地局は電波を利用して移動端末と双方向の通信を行うと共に、有限資源である電波の管理を行う。しかし、基地局からの電波が届く範囲（以下、基地ゾーンと称する）は限定されている。
【００１０】
２３０、２３１、２３２は、各々の基地局（基地局２２０、基地局２２１、基地局２２２）の基地ゾーンである。基地ゾーン２３０、基地ゾーン２３１、基地ゾーン２３２はそれぞれ基地局２２０、基地局２２１、基地局２２２からの電波が届く範囲である。
【００１１】
本図では、半固定側試験装置２１３、半固定側試験装置２１４が、基地ゾーン２３０、基地ゾーン２３１、基地ゾーン２３２が重なるエリア（基地局２２０、基地局２２１、基地局２２２の共通通話エリア）に設置されている状態を示している。
【００１２】
また、２４０は業務用無線移動通信システムの制御局であり、基地局２２０、基地局２２１、基地局２２２と制御局２４０とはアプローチ線で接続されている。基地局が複数存在する場合、制御局２４０はこれらの基地局を総括的に管理するための機能を有する。
【００１３】
更に、２５０は司令センタであり、司令センタ側パソコン２５１を有している。司令センタ側パソコン２５１は、保安網内線などにより制御局２４０と接続されると共に、保安網内線又は公衆回線等の通信回線により半固定側パソコン２１３Ｂ、半固定側パソコン２１４Ｂとも接続される。従って、半固定側パソコン２１３Ｂと司令センタ側パソコン２５１との間、及び半固定側パソコン２１４Ｂと司令センタ側パソコン２５１との間でパソコン通信が可能な状態になっている。
【００１４】
前述の構成を有する業務用無線移動通信システムでは、パソコン（司令センタ側パソコン２５１、半固定側パソコン２１３Ｂ、半固定側パソコン２１４Ｂ）の制御により、自動的に音声導通試験を行う。なお、音声導通試験は、夜間や休日など、業務時間以外の時間帯に行うため、発信装置／着信装置の設定、試験時刻の設定は予め音声導通試験を行う前に、例えば業務時間内に行う。
【００１５】
以下、司令センタ２５０が発信装置で、半固定側試験装置２１３が着信装置である場合での音声導通試験の動作について説明する。
【００１６】
音声導通試験を行う時刻（試験時刻）になると、司令センタ側パソコン２５１は通信回線２６０を介して半固定側パソコン２１３Ｂを遠隔制御することにより、半固定側パソコン２１３Ｂは半固定端末２１３Ａを待受状態（非送信状態であると共に外部からの信号を受信できる状態）にする。更に、司令センタ側パソコン２５１は、予めデータとして録音されている音声を制御局２４０に伝送する。
【００１７】
制御局２４０は、基地局２２０、基地局２２１、基地局２２２を総括的に管理していることにより、複数有る基地局から１つを選択し、選択した基地局に音声を伝送する。例えば、基地局２２０が選択されたことにより制御局２４０から基地局２２０に音声が伝送された場合、この音声は無線回線を介して基地局２２０から半固定端末２１３Ａに送信される。
【００１８】
半固定端末２１３Ａは、受信した音声をスピーカ（図示せず）から出力すると共に半固定側パソコン２１３Ｂに伝送する。そして、半固定側パソコン２１３Ｂは半固定端末２１３Ａからの音声をサンプリングし、データに変換する。例えば、ＰＣＭ（Ｐｕｌｓｅ  Ｃｏｄｅ  Ｍｏｄｕｌａｔｉｏｎ）データに変換する。データに変換された音声は通信回線２６０を介して司令センタ側パソコン２５１に伝送された後、司令センタ側パソコン２５１に所定のファイル名で録音される（録音ファイル名については後述する）。司令センタ側パソコン２５１では音声導通試験時の送信する音声を音声導通試験前に予め格納していることにより、送信した音声と所定のファイル名で録音された音声とを比較することにより、音声導通試験の評価を行う。
【００１９】
次に、司令センタ側パソコン２５１に録音される従来の音声（以下、試験音声と称する）の録音方法について、図３〜５より説明する。図３は、従来の一例である試験音声録音方法を示すフローチャートである。図４は試験条件を示す図、図５は従来の一例である試験音声録音方法により命名された試験音声のファイル名を示す。
【００２０】
図５に示すフローチャートにより、図４（ａ）に示す試験条件で音声導通試験を行った場合、司令センタ側パソコン２５１に録音される試験音声のファイル名は、図５（ａ）に示す名称になる。更に、図４（ａ）に示す試験条件で音声導通試験を行った後、図４（ｂ）に示す試験条件で音声導通試験を行った場合、司令センタ側パソコン２５１に録音される試験音声のファイル名は、図５（ｂ）に示す名称になる。
【００２１】
【特許文献１】特開２００２−２８０９４９号
【００２２】
【特許文献２】特開２００２−７７０７０号
【００２３】
【特許文献３】特願２００２−２８３３０４号
【００２４】
【発明が解決しようとする課題】
前述の従来の試験音声録音方法では、音声導通試験を行う度に試験音声が司令センタ側パソコンに録音されるため、音声導通試験を多く行うと、司令センタ側パソコンに録音される試験音声のデータ量が多くなる。
【００２５】
そして、試験音声のデータ量が膨大になった場合、多種多様の試験条件で音声導通試験を行っていることにより、各試験音声が如何なる試験条件で行った音声導通試験のデータであるかを把握しづらくなるという欠点がある。この欠点により、試験音声を再生視聴するか、又はデータベース化したときに、混乱を招く場合もある。
【００２６】
そこで本発明では、多種多様の試験条件で音声導通試験を行ったことにより試験音声のデータ量が膨大になったときでも、各試験音声が如何なる試験条件で行われたときのデータであるかを容易に把握できるようにすることを目的とする。
【００２７】
【課題を解決するための手段】
そこで本発明では、前述の目的を達成するために、音声導通試験で半固定側パソコン（第１の制御手段）が着信装置になった場合、半固定端末が受信した試験音声を半固定側パソコンは司令センタ側パソコン（第２の制御手段）に伝送した後、この試験音声を司令センタ側パソコンが試験条件に基づいたファイル名で録音するようにしたものである。
【００２８】
一方、音声導通試験で司令センタ側パソコンが着信装置になった場合、制御局が受信した音声を司令センタ側パソコンに伝送した後、この試験音声を司令センタ側パソコンが試験条件に基づいたファイル名で録音するようにしたものである。
【００２９】
その結果、試験音声のファイル名から如何なる試験条件で行われたときの試験音声であるかが容易に把握できるようにしたものである。
【００３０】
【発明の実施の形態】
本発明の一実施例である試験音声録音方法について説明する前に、まず、業務用無線移動通信システムについて、図２より説明する。図２は、業務用無線移動通信システムの構成を示す図である。
【００３１】
図２において、２１０、２１１、２１２は移動端末局（以下、移動端末局を移動端末と称する）、２１３Ａ、２１４Ａは半固定端末局（以下、半固定端末局を半固定端末と称する）である。図中、移動端末２１０、移動端末２１１、移動端末２１２は、既に日中の通常運用（業務）を終了しており、司令センタ２５０（司令センタ２５０については後述する）に集結している状態を示している。
【００３２】
２１３Ｂ、２１４Ｂは半固定側パソコンであり、それぞれ半固定端末２１３Ａ、半固定端末２１４Ａに接続されている。そして２１３、２１４は半固定側試験装置である。半固定側試験装置２１３、半固定側試験装置２１４は業務時間以外の時間で音声導通試験を行うときのみ、例えば営業所に設置されることで固定局として動作する。
【００３３】
２２０、２２１、２２２は業務用無線移動通信システムの基地局である。一般的に基地局は電波を利用して移動端末と双方向の通信を行うと共に、有限資源である電波の管理を行う。しかし、基地局からの電波が届く範囲（以下、基地ゾーンと称する）は限定されている。
【００３４】
２３０、２３１、２３２は、各々の基地局（基地局２２０、基地局２２１、基地局２２２）の基地ゾーンである。基地ゾーン２３０、基地ゾーン２３１、基地ゾーン２３２はそれぞれ基地局２２０、基地局２２１、基地局２２２からの電波が届く範囲である。
【００３５】
本図では、半固定側試験装置２１３、半固定側試験装置２１４が、基地ゾーン２３０、基地ゾーン２３１、基地ゾーン２３２が重なるエリア（基地局２２０、基地局２２１、基地局２２２の共通通話エリア）に設置されている状態を示している。
【００３６】
また、２４０は業務用無線移動通信システムの制御局であり、基地局２２０、基地局２２１、基地局２２２と制御局２４０とはアプローチ線で接続されている。基地局が複数存在する場合、制御局２４０はこれらの基地局を総括的に管理するための機能を有する。
【００３７】
更に、２５０は司令センタであり、司令センタ側パソコン２５１を有している。司令センタ側パソコン２５１は、保安網内線などにより制御局２４０と接続されると共に、保安網内線又は公衆回線等の通信回線により半固定側パソコン２１３Ｂ、半固定側パソコン２１４Ｂとも接続される。従って、半固定側パソコン２１３Ｂと司令センタ側パソコン２５１との間、半固定側パソコン２１４Ｂと司令センタ側パソコン２５１との間でパソコン通信が可能な状態になっている。
【００３８】
前述の構成を有する業務用無線移動通信システムでは、パソコン（司令センタ側パソコン２５１、半固定側パソコン２１３Ｂ、半固定側パソコン２１４Ｂ）の制御により、自動的に音声導通試験を行う。なお、音声導通試験は、夜間や休日など、業務時間以外の時間帯に行うため、試験条件の設定は予め音声導通試験を行う前に、例えば業務時間内に行う。
【００３９】
次に、音声導通試験の試験条件の設定について、図６より説明する。図６は試験条件設定時において、司令センタ側パソコン２５１のモニタに表示される画面である。試験条件の設定項目は、試験種別、試験日時、発信装置／着信装置である。試験種別の設定は操作部３１５を、試験日時の設定は操作部３１１〜操作部３１４、発信装置の設定は操作部３１６、着信装置の設定は操作部３１７を操作することにより行う。
【００４０】
試験種別の設定では、個別通信試験を行うかグループ通信試験を行うかの設定である。個別通信試験は発信装置、着信装置が共に１つずつである場合の通信試験であるのに対し、グループ通信試験は発信装置が１つ、着信装置が複数となる場合の通信試験である。例えば、発信装置をホスト（司令センタ側パソコン１５１）として、着信装置をモニタ装置１（半固定側パソコン２１３Ｂ）とモニタ装置２（半固定側パソコン２１４Ｂ）とした場合の通信試験は、グループ通信試験である。
【００４１】
試験日時の設定では、開始時間、終了時間、試験間隔（開始時間から終了時間までに何分おきに通信試験を行うか）の設定だけでなく、通信試験を毎日行うか否かの設定も可能である。
【００４２】
発信装置／着信装置の設定では、ホスト（司令センタ側パソコン１５１）、モニタ装置１（半固定側パソコン２１３Ｂ）、モニタ装置２（半固定側パソコン２１４Ｂ）から発信装置として１つ、着信装置として１つか２つを選択することにより行う（着信装置を１つ選択した場合には個別通信試験、着信装置を２つ選択した場合にはグループ通信試験を行うことになる）。
【００４３】
試験条件の設定が終了したとき、操作部３１８を操作することにより、設定した試験条件が司令センタ側パソコン１５１に登録される（設定した試験条件が司令センタ側パソコン１５１のメモリに録音される）。その後、登録された試験条件に従って、音声導通試験が行われる。
【００４４】
以下、司令センタ側パソコン２５１が発信装置で、半固定側パソコン２１３Ｂが着信装置である場合での音声導通試験の動作について図２より説明する。
【００４５】
音声導通試験を開始する時刻（開始時刻）になると、司令センタ側パソコン２５１は通信回線２６０を介して半固定側パソコン２１３Ｂを遠隔制御することにより、半固定側パソコン２１３Ｂは半固定端末２１３Ａを待受状態（非送信状態であると共に外部からの信号を受信できる状態）にする。更に、司令センタ側パソコン２５１は、予めデータとして録音されている試験音声を制御局２４０に伝送する。
【００４６】
制御局２４０は、基地局２２０、基地局２２１、基地局２２２を総括的に管理していることにより、複数有る基地局から１つを選択し、選択した基地局に試験音声を伝送する。例えば、基地局２２０が選択されたことにより制御局２４０から基地局２２０に試験音声が伝送された場合、この試験音声は無線回線を介して基地局２２０から半固定端末２１３Ａに送信される。
【００４７】
半固定端末２１３Ａは、受信した試験音声をスピーカ（図示せず）から出力すると共に半固定側パソコン２１３Ｂに伝送する。そして、半固定側パソコン２１３Ｂは半固定端末２１３Ａからの試験音声をサンプリングし、データに変換する。例えば、ＰＣＭ（Ｐｕｌｓｅ  Ｃｏｄｅ  Ｍｏｄｕｌａｔｉｏｎ）データに変換する。データに変換された試験音声は通信回線２６０を介して司令センタ側パソコン２５１に伝送された後、司令センタ側パソコン２５１に所定のファイル名で録音される（録音ファイル名については後述する）。
【００４８】
試験音声が所定のファイル名で録音された後、同様にして終了時刻までの間、設定された試験間隔毎に試験音声が司令センタ側パソコン２５１に伝送されると共に所定のファイル名で録音される。
【００４９】
司令センタ側パソコン２５１には開始時刻から終了時刻までに送信する試験音声を予め格納されていることにより、送信した試験音声と所定のファイル名で録音された試験音声とを比較することにより、音声導通試験の評価を行う。
【００５０】
次に、本発明の一実施例である試験音声録音方法について図１、図７より説明する。図７は本発明の一実施例である試験音声録音方法を示すフローチャートである。図１は音声導通試験中、又は音声導通試験後に司令センタ側パソコン２５１のモニタに表示される画面であり、この画面に示すファイル名で各試験音声が録音される。図１の内、図１（ａ）は試験条件を示す図、図１（ｂ）は音声試験結果を示す図である。
【００５１】
図７に示すフローチャート（本フローチャートについては、後述する）により、図１（ａ）に示す試験条件で音声導通試験を行った場合、司令センタ側パソコン２５１に録音される試験音声のファイル名は、図１（ｂ）の録音音声ファイル名欄１０５に示す名称になる。このファイル名は、録音音声ファイル名欄１０５より下記（１）〜（４）に示す特徴を有しているため、試験条件をファイル名から把握できる。
【００５２】
（１）１文字目は試験種別を示しており、Ｉのときは個別通話、Ｇのときはグループ通話である。
【００５３】
（２）２文字目は発信装置を示しており、Ｈのときはホスト側モニタ装置（司令センタ側パソコン２５１）、１のときはモニタ装置１（半固定側パソコン２１３Ｂ）、２のときはモニタ装置２（半固定側パソコン２１４Ｂ）である。
【００５４】
（３）３文字目は受信装置を示しており、Ｈのときはホスト側モニタ装置（司令センタ側パソコン２５１）、１のときはモニタ装置１（半固定側パソコン２１３Ｂ）、２のときはモニタ装置２（半固定側パソコン２１４Ｂ）である。
【００５５】
（４）４〜１１文字目は試験日時を示しており、例えば、ファイル名が「ＩＨ２０９２３１２４０．ｗａｖ」である場合、９月２３日１２時４０分に行った個別通信試験である。
【００５６】
次に、図７に示すフローチャートについて、説明する。一例として、図１（ａ）の試験条件で音声導通試験を行った場合で説明する。開始時刻となると前述の説明により発信装置である司令センタ側パソコン２５１から着信装置である半固定側パソコン２１４Ｂに制御局２４０、基地局（基地局２２０、基地局２２１、基地局２２２の内の１つ）を介して音声が伝送される。更に、司令センタ側パソコン２５１に伝送された音声が通信回線２６０を介して司令センタ側パソコン２５１に伝送されると共に録音される。
【００５７】
録音が終了する（ステップ７００）と、試験種別（通話種別）の判定を行う（ステップ７０１）ことで、ファイル名の１文字目を決める。個別通信試験のときには１文字目を「Ｉ」とし（ステップ７０２）、グループ通信試験のときには１文字目を「Ｇ」とする（ステップ７０３）。図１（ａ）の試験条件では、試験種別が個別通信試験であることにより、１文字目は「Ｉ」となる。
【００５８】
ファイル名の１文字目が決まると、発信装置の判定を行う（ステップ７０４）ことで、ファイル名の２文字目を決める。発信装置がホスト側モニタ装置（司令センタ側パソコン２５１）であるときには２文字目を「Ｈ」とし（ステップ７０５）、モニタ装置１（半固定側パソコン２１３Ｂ）であるときには２文字目を「１」、モニタ装置２（半固定側パソコン２１４Ｂ）であるときには２文字目を「２」にする（ステップ７０６）。図１（ａ）の試験条件では、発信装置がホスト側モニタ装置（司令センタ側パソコン２５１）であることにより、２文字目は「Ｈ」となる。
【００５９】
ファイル名の２文字目が決まると、着信装置の判定を行う（ステップ７０７）ことで、ファイル名の３文字目を決める。着信装置がホスト側モニタ装置（司令センタ側パソコン２５１）であるときには３文字目を「Ｈ」とし（ステップ７０８）、モニタ装置１（半固定側パソコン２１３Ｂ）であるときには３文字目を「１」、モニタ装置２（半固定側パソコン２１４Ｂ）であるときには３文字目を「２」にする（ステップ７０９）。図１（ａ）の試験条件では、着信装置がモニタ装置２（半固定側パソコン２１４Ｂ）であることにより、３文字目は「２」となる。
【００６０】
ファイル名の３文字目が決まると、試験日時に応じてファイル名の４文字目から１１文字目までを決める（ステップ７１０）。図１（ａ）の試験条件では、試験日が９月２３日、試験開始時刻が１２時４０分であることにより、４文字目から１１文字目までが「０９２３１２４０」となる。
【００６１】
ファイル名の１１文字目までが決まると、末尾に拡張子「．ｗａｖ」を付けることによりファイル名が決まる（ステップ７１１）。なお、末尾に拡張子「．ｗａｖ」を付けるだけでなく、本フローチャートに示すように先頭に「ｔｅｓｔ」を付けても良い。
【００６２】
ファイル名が決まると、音声導通試験（通話試験）が終了であるか否かを判定する（ステップ７１２）。現時点では開始時刻での音声導通試験の音声のファイル名が決まっただけのため、終了時刻までの間、試験間隔毎にステップ７００〜ステップ７１１までの動作を繰り返すことにより、試験開始時刻から試験終了時刻までに録音される全ての試験音声のファイル名が決まる。図１（ａ）の試験条件では、２００２年９月２３日、１２時４０分〜１３時４０分までの間に１０分毎に行った音声導通試験の試験音声のファイル名が決まる。
【００６３】
以上のように、本実施例の試験音声録音方法により録音された試験音声のファイル名は、試験条件（試験種別、試験日時、発信装置、着信装置）に基づいて命名されることにより、音声導通試験で行ったときに録音した試験音声が如何なる試験条件で行われたかを容易に把握できる。
【００６４】
なお、本実施例の命名方法により録音された音声のファイル名では、１文字目に試験種別を示す文字を、２文字目に発信装置を示す文字を、３文字目に着信装置を示す文字を、４〜１１文字目に試験日時を示す文字となっているが、これに限定されるわけではない。試験種別を示す文字、試験日時を示す文字、発信装置を示す文字、着信装置を示す文字がファイル名に含まれていれば、同様にして音声導通試験で行ったときに録音した試験音声が如何なる試験条件で行われたかを容易に把握できるのは明らかである。
【００６５】
【発明の効果】
以上説明したように、本発明によれば、多種多様の試験条件で音声導通試験を行ったことにより録音される試験音声のデータ量が膨大になったときでも、各試験音声が如何なる試験条件の音声導通試験で録音されたデータであるかを容易に把握できる。
【図面の簡単な説明】
【図１】音声導通試験中、又は音声導通試験後に司令センタ側パソコンのモニタに表示される画面。
【図２】業務用無線移動通信システムの構成を示す図。
【図３】従来の一例である試験音声録音方法を示すフローチャート。
【図４】音声導通試験の試験条件を示す図。
【図５】従来の一例である試験音声録音方法により録音されたファイル名を示す図。
【図６】試験条件設定時において、司令センタ側パソコンのモニタに表示される画面。
【図７】本発明の一実施例である試験録音録音方法を示すフローチャート。
【符号の説明】
１０１                                  ：試験項目表示部
１０２                                  ：試験結果表示部
１０３                                  ：試験時刻欄
１０４                                  ：試験結果欄
１０５                                  ：録音音声ファイル名欄
２１０、２１１、２１２  ：移動端末
２１３、２１４                            ：半固定側試験装置
２１３Ａ、２１４Ａ                    ：半固定端末
２１３Ｂ、２１４Ｂ                    ：半固定側パソコン
２２０、２２１、２２２  ：基地局
２３０、２３１、２３２  ：基地ゾーン
２４０                                  ：制御局
２５０                                  ：司令センタ
２５１                                  ：司令センタ側パソコン
２６０                                  ：通信回線
３１０                                  ：表示部
３１１〜３１９                            ：操作部
７００〜７１２                            ：フローチャートのブロック
【図１】
2004282247.tif 000003
【図２】
2004282247.tif 000004
【図３】
2004282247.tif 000005
【図４】
2004282247.tif 000006
【図５】
2004282247.tif 000007
【図６】
2004282247.tif 000008
【図７】
2004282247.tif 000009